(57)【要約】      （修正有）【課題】簡単な構造によって、又後付けによって、特定の操作ボタンだけを操作可能とし、これにより一般電話機を直通電話機として利用できる電話機用カバーを提供する。【解決手段】受話器２と電話機本体３とを備え、電話機本体３には電話番号を入力し又は各種機能を実行するための数字又は記号が表示された複数の操作ボタンが配置された操作部が設けられた電話機１の電話機用カバー１０であって、前記操作部を覆うようにして電話機本体３にセットされる硬質のカバー本体１１と、カバー本体１１を操作ボタン７Ａよりも上方に支持する足部とから構成し、カバー本体１１の一部に特定の操作ボタン７Ａのみを操作させるための切欠き部を設ける。【選択図】図２
0003145613.tif 000002
【実用新案登録請求の範囲】
【請求項１】
受話器と電話機本体とを備え、電話機本体には電話番号を入力し又は各種機能を実行するための数字又は記号が表示された複数の操作ボタンが配置された操作部が設けられた電話機の電話機用カバーであって、
前記操作部を覆うようにして電話機本体にセットされる硬質のカバー本体と、カバー本体を操作ボタンよりも上方に支持する足部とから構成され、カバー本体の一部に特定の操作ボタンのみを操作させるための切欠き部又は開口部が設けられていることを特徴とする、電話機用カバー。
【請求項２】
前記切欠き部又は開口部は、特定のワンタッチダイヤル用又は短縮ダイヤル用の操作ボタンに対応する位置に設けられていることを特徴とする、請求項１記載の電話機用カバー。
【請求項３】
前記切欠き部又は開口部は、人差し指が入る大きさであることを特徴とする、請求項１または請求項２に記載の電話機用カバー。
【請求項４】
前記カバー本体に、操作部の表面形状に合わせて屈曲部が設けられていることを特徴とする、請求項１ないし請求項３のいずれか一項に記載の電話機用カバー。
【請求項５】
前記カバー本体に、特定の操作ボタンへのボタン操作を誘導する表示部が設けられていることを特徴とする、請求項１ないし請求項４のいずれか一項に記載の電話機用カバー。
【請求項６】
前記カバー本体は、電話機本体に対し着脱可能とされていることを特徴とする、請求項１ないし請求項５のいずれか一項に記載の電話機用カバー。
【考案の詳細な説明】
【技術分野】
【０００１】
本考案は、簡単な構造によって、又後付けによって、一般電話機を直通電話機として使用するための、電話機用カバーに関するものである。
【背景技術】
【０００２】
プッシュホンタイプの一般電話機は、受話器と電話機本体からなり、電話機本体にはダイヤルボタン、短縮ダイヤルボタン等の多数の操作ボタンが配置された操作部が設けられている。電話をかける場合、まず、受話器を取って「ツー」という発信音を確認し、操作ボタンに表示された数字又は記号を確認して、特定の操作ボタンを押し操作して電話番号を入力すると、相手先の呼び出し音が鳴り、相手先が受話器を取ると、両者間で通話が可能な状態となる。
【０００３】
これに対し、直通電話は、受話器を取ると、あるいは受話器を取って特定のボタンを押し操作すると、特定の相手に電話がつながり、両者間で通話が可能な状態になる。従来の一般電話機を直通電話機に変更しようとすると、電話機自体を改造・加工しなければならず、費用が高額となる問題があった。
【０００４】
また、一般電話機には多数の操作ボタンがあり、電話をかけようとする場合、操作ボタンを押し間違いすることがよくあり、特定の用途に利用したい場合（例えば病院にタクシーを呼んだり、レンタカーを手配したい場合）には、顧客にとっては、一般電話機は必ずしも利便性がよいとは言い難かった。
【０００５】
電話機用のカバーとしては、加飾用のカバー（特許文献１）や、プツシユボタンと文字盤表示面との隙間に粉塵、塵埃が侵入するのを防止するための保護カバー（特許文献２）等が提案されているに過ぎない。
【特許文献１】特開２００６−１２８８４９号公報
【特許文献２】実開平６−１９３５０号公報
【考案の開示】
【考案が解決しようとする課題】
【０００６】
本考案は、前記課題に鑑みてなされたもので、簡単な構造によって、又後付けによって、特定の操作ボタンのみ操作できるようにし、これによって、一般電話機を直通電話機として利用することのできる、電話機用カバーを提供することを目的とする。
【０００７】
また、一般電話機を直通電話機として利用することにより、顧客の利便性を向上させることのできる、電話機用カバーを提供することを目的とする。
【課題を解決するための手段】
【０００８】
前記課題を達成するために、本考案に係る請求項１の電話機用カバーは、受話器と電話機本体とを備え、電話機本体には電話番号を入力し又は各種機能を実行するための数字又は記号が表示された複数の操作ボタンが配置された操作部が設けられた電話機の電話機用カバーであって、
前記操作部を覆うようにして電話機本体にセットされる硬質のカバー本体と、カバー本体を操作釦よりも上方に支持する足部とから構成し、カバー本体の一部に特定の操作ボタンのみを操作させるための切欠き部又は開口部を設けたことを特徴とする。
【０００９】
本考案の請求項１記載の電話機用カバーによると、操作部を覆うようにして電話機本体にセットされる硬質のカバー本体と、カバー本体を操作釦よりも上方に支持する足部とから構成し、カバー本体の一部に特定の操作ボタンのみを操作させるための切欠き部又は開口部を設けたから、特定の操作ボタンを直通専用のボタンに予め設定しておくことで、一般電話を直通電話機として使用することができる。たとえは、タクシー・ホテル・レンタカー会社等が顧客の利便性を図るための直通電話機として使用することができる。
【００１０】
この場合、操作者は、受話器を取って、カバー本体の切欠き部又は開口部に位置する特定の操作ボタンのみを操作すればよく、他の操作ボタンがカバー本体によって隠されるから、他の操作ボタンを押し間違えたり、多数の操作ボタンから目的とする操作ボタンを探す面倒さがなくなる。したがって、特定の用途、例えばタクシー・ホテル・レンタカーを利用したい顧客にとって利便性の高いものとなる。
【００１１】
本考案の請求項２に係る電話機用カバーは、前記切欠き部又は開口部を、特定のワンタッチダイヤル用又は短縮ダイヤル用の操作ボタンに対応する位置に設けたことを特徴とする。
【００１２】
請求項２に係る電話機用カバーによると、前記切欠き部又は開口部を、特定のワンタッチダイヤル用又は短縮ダイヤル用の操作ボタンに対応する位置に設けたことにより、特定のワンタッチダイヤル用又は短縮ダイヤル用の操作ボタンだけを押し操作でき、これにより、一般電話機を直通電話機として利用することができる。操作者は、例えば病院にタクシーを呼ぶときに、１〜０まで数字が並ぶダイヤルボタンを押して電話番号を入力する面倒や、複数のワンタッチダイヤルボタン又は短縮ダイヤルボタンから特定のボタンをいちいち選ぶ面倒さから開放され、また、操作ボタンの押し間違いをなくすことができる。
【００１３】
本考案の請求項３に係る電話機用カバーは、前記切欠き部又は開口部を、人差し指が入る大きさとしたことを特徴とする。
【００１４】
請求項３記載の電話機用カバーによると、前記切欠き部又は開口部を、人差し指が入る大きさとしたことにより、特定の操作ボタンを確実に押し操作することができる。切欠き部又は開口部の大きさとしては内幅１．５ｃｍ〜２．５ｃｍ、直径１．５ｃｍ〜２．５ｃｍの幅であることが望ましい。
【００１５】
本考案の請求項４に係る電話機用カバーは、前記カバー本体に、操作部の表面形状に合わせて屈曲部を設けたことを特徴とする。
【００１６】
請求項４記載の電話機用カバーによると、カバー本体に、操作部の表面形状に合わせて屈曲部を設けたことにより、電話機本体の上面の操作部に上手くカバー本体をフィットさせることができる。一般の電話機本体の上面は、上側に配置されるワンタッチダイヤル用又は短縮ダイヤル用の操作ボタンの配置区域から下側に配置される１〜０の数字の操作ボタンの配置区域にかけて、約５°〜１５°下向きに傾斜しているものが多く、これに合わせて、カバー本体を、上部に対し下部を屈曲させて、約５°〜１５°下向きに傾斜させることが望ましい。
【００１７】
本考案の請求項５に係る電話機用カバーは、前記カバー本体に、特定の操作ボタンへのボタン操作を誘導する表示部を設けたことを特徴とする。
【００１８】
請求項５記載の電話機用カバーによると、前記カバー本体に、特定の操作ボタンへのボタン操作を誘導する表示部を設けたので、操作者は、表示部を見ながら、特定の操作ボタンの位置を容易に確認することができ、利便性や使い勝手が向上する。
【００１９】
本考案の請求項６に係る電話機用カバーは、前記カバー本体を、電話機本体に対し着脱可能としたことを特徴とする。
【００２０】
請求項６記載の電話機用カバーによると、前記カバー本体を、電話機本体に対し着脱可能としたので、カバーを使用しない場合には、カバー本体を電話機本体から外して、通常の一般電話機として全ての操作ボタンを使用することができ、これにより、カバー本体を着脱するだけで、用途に応じて、直通電話機として使用したり、一般電話機に戻して使用したりできる。
【考案の効果】
【００２１】
本考案の電話機用カバーによると、操作部を覆うようにして電話機本体にセットされる硬質のカバー本体と、カバー本体を操作釦よりも上方に支持する足部とから構成し、カバー本体の一部に特定の操作ボタンのみを操作させるための切欠き部又は開口部を設けたから、非常に簡単な構造によって、特定の操作ボタンだけを操作できるようにし、これによって、一般電話機を直通電話機として利用することができる。操作者は、受話器を取って、カバー本体の切欠き部又は開口部に位置する特定の操作ボタンのみを操作すれば足り、操作ボタンの押し間違えや、多数の操作ボタンから目的とする操作ボタンを探す必要や面倒さがなくなり、利便性や使い勝手に優れるという効果を奏する。
【考案を実施するための最良の形態】
【００２２】
以下、図面を参照して、本考案に係る電話機用カバーについて、一実施形態を説明する。図１ないし図４は本考案の第１の実施形態を示すもので、図中、符号１は電話機、符号１０は電話機用カバーを示す。
【００２３】
図１に示すように、電話機１は、受話器２と、受話器２にコード２Ａで接続された電話機本体３とから構成されている。電話機本体３の上面には、受話器２を置く載置部４と、各種のボタン操作を行なうための操作部５が左右に設けられている。操作部５には、下側に電話番号を入力するための１〜０の数字が表示された複数（図示例では１０個）のダイヤルボタン（操作ボタン）６Ａ、トーン記号が表示されたトーンボタン（操作ボタン）６Ｂ、シャープ記号が表示されたシャープボタン（操作ボタン）６Ｃが配置され、上側に複数（図示例では３個）の短縮ダイヤルボタン（操作ボタン）７Ａ〜７Ｃが配置され、その中間にその他の機能を実行するための複数の機能ボタン（操作ボタン）８が配置されている。これらのボタンはそれぞれ電話機本体３の上面から凸状に突出している。
【００２４】
電話機用カバー１０は、図１、図２および図４に示すように、操作部５全体を覆う大きさで略長方形の形状をなす硬質のプラスチック素材からなるカバー本体１１と、カバー本体１１の裏面に固着され、カバー本体１１を各ボタン（６Ａ〜８）よりも上方に支持する上下の足部１２，１３とから構成されている。そして、カバー本体１１の一部に上側の短縮ダイヤルボタン７Ａ〜７Ｃのうち、一つの短縮ダイヤルボタン７Ａのみを操作させるための切欠き部１４が設けられている。
【００２５】
短縮ダイヤルボタン７Ａには、後述する表示部１５に表示される会社名１５Ｃの電話番号が短縮ダイヤルとして設定登録されている。したがって、電話機用カバー１０により、１つの短縮ダイヤルボタン７Ａのみを操作できるようにすることで、電話機１を会社１５Ｃへの直通電話機として使用することができる。
【００２６】
電話機用カバー１０は、図２に示すように、操作部５を上から覆うようにして電話機本体３にセットされた状態で、操作部５の前記短縮ダイヤルボタン７Ａを除く他の全てのボタン６Ａ〜６Ｃ、７Ａ，７Ｃ、８がカバー本体１１で覆われている。また、図３に示すように、カバー本体１１の裏面の上端および下端に固着された足部１２，１３がそれぞれ操作部５を上下に跨るようにして電話機本体３の上面に接地し、足部１２，１３によって支持されたカバー本体１１とその下のボタン６Ａ・・・８との間には僅かに隙間Ｓが形成され、従って、カバー本体１１の表面を指で触っても、その下のボタン６Ａ・・・８は操作できないようになっている。
【００２７】
電話機本体３の上面は、上側に配置される短縮ダイヤルボタン７Ａ〜７Ｃの配置区域からその下側に配置されるダイヤルボタン６Ａ、トーンボタン６Ｂ、シャープボタン６Ｃの配置区域にかけて、水平面に対し約５°〜１０°下向きに傾斜しており、これに合わせて、カバー本体を、上部に対し下部を屈曲させて、約５°〜１５°下向きに傾斜させている（図４（Ｂ）のα＝５°〜１５°）。これにより、電話機用カバー１０の裏面上端の足部１２を、上側に配置される短縮ダイヤルボタン７Ａ，７Ｃに確実に引っ掛けて、電話機用カバー１０を電話機本体３の上面に確実に装着できるようになっている。なお、操作カバー１０は、足部１２，１３の裏面に接着した両面テープによって、電話機本体３の上面に装着固定するようにしてもよい。
【００２８】
電話機用カバー１０の上面には、図１および図２に示すように、上側の短縮ダイヤルボタン７Ｂへのボタン操作を誘導する表示部１５が設けられている。この表示部１５は、図４（Ａ）に示すカバー本体１１の表面に印刷してもよいが、フィルムまたはシール素材として貼り付けてもよい。表示部１５には、短縮ダイヤルボタン７Ａの位置を示す指差しマーク１５Ａ、操作説明文１５Ｂ、短縮ダイヤルの宛先である会社の名称１５Ｃ、短縮ダイヤルとして設定登録された電話番号１５Ｄが含まれる。これにより、操作者は、表示部１５を見ながら、表示部１５に表示された会社１５Ｃの電話番号が短縮ダイヤルとして設定登録された短縮ダイヤルボタン７Ａの位置を認識しながら、押しボタン操作し、表示部１５に表示された会社１５Ｃに確実に電話することができる。会社Ｃの例としては、タクシー会社、レンタカー会社、ホテル等が挙げられる。
【００２９】
本実施形態では、特定の操作ボタンとして、３つの短縮ダイヤルボタン７Ａ〜７Ｃのうち、左端の短縮ダイヤルボタン７Ａのみを操作可能としたが、電話機用カバー７の切欠き部１４の位置を変えることで、中央又は右側の短縮ダイヤルボタン７Ｂ又は７Ｃのみを操作可能とし、それぞれの直通電話として使用すること、さらには、電話機用カバー７の切欠き部１４を複数設けることで、左右の短縮ダイヤル７Ａ，７Ｃのみを操作可能とし、それぞれの直通電話として使用することができる。
【００３０】
また、短縮ダイヤルボタンのみならず、特定のワンタッチダイヤルに対応する位置に前記切欠き部１４を設けてもよい。さらに、切欠き部１４のかわりに、円形または四角形の開口部を設けてもよい。
【００３１】
かくして、本考案の電話機用カバーによると、一般電話機自体を改造・加工することなく、極めて簡単な構造のカバーを一般電話機に後付けすることによって、特定の操作ボタンだけを操作可能とすることができ、これにより、一般電話機を直通電話機として使用できるようになり、顧客の利便性を大いに向上させることができる。
【産業上の利用可能性】
【００３２】
本考案の電話機用カバーは、簡単な構造によって、又後付けによって、一般電話機を直通電話機として使用できる電話機用カバーとして、利用可能である。
【図面の簡単な説明】
【００３３】
【図１】電話機から本考案の電話機用カバーを分離した状態を示す平面図、
【図２】電話機の電話機本体に本考案の電話機用カバーを装着した状態を示す平面図、
【図３】電話機の電話機本体に本考案の電話機用カバーを装着した状態を示す側面図、
【図４】（Ａ）は本考案の電話機用カバーを示す平面図、（Ｂ）は本考案の電話機用カバーを示す側面図である。
【符号の説明】
【００３４】
１  電話機
２  受話器
２Ａ  受話器コード
３  電話機本体
４  受話器の載置部
５  操作部
６Ａ  ダイヤルボタン（操作ボタン）
６Ｂ  シャープボタン（操作ボタン）
６Ｃ  トーンボタン（操作ボタン）
７Ａ，７Ｂ，７Ｃ  短縮ダイヤルボタン（操作ボタン）
８  機能ボタン（操作ボタン）
１０  電話機用カバー
１１  カバー本体
１２，１３  足部
１４  切欠き部
１５  表示部
１５Ａ  指差しマーク
１５Ｂ  操作説明文
１５Ｃ  会社の名称
１５Ｄ  電話番号
Ｓ  隙間
【図１】
0003145613.tif 000003
【図２】
0003145613.tif 000004
【図３】
0003145613.tif 000005
【図４】
0003145613.tif 000006